(57)【要約】靴１は、ソール５に設けた前部３と後部４とを備え、ソール５は靴１を開閉するために前部３と後部４とを回転可能に連結するヒンジ８を一体化されている。ロック機構２２は閉鎖位置で靴１をロックするために設けられている。ヒンジ８は第１ヒンジ部８ａと第２ヒンジ部８ｂとからなり、第１ヒンジ部８ａと第２ヒンジ部８ｂとは枢軸８ｃで連結されている。第１ヒンジ部８ａは枢軸８ｃの一端側から他端側に延びている。また本発明はそのような靴１のためのヒンジ８に関するものである。
2015514540.tif 000002
【特許請求の範囲】
【請求項１】
ソールに設けた前部及び後部と、閉鎖位置の靴をロックするためのロック機構とを備え、前記ソールは、前記前部と前記後部とを回動可能に連結して靴を開閉するためのヒンジに相互に連結された靴であって、
前記ヒンジは、第１ヒンジ部と第２ヒンジ部とを備え、第１及び第２ヒンジ部は枢軸で連結され、第１ヒンジ部及び第２ヒンジ部の少なくとも一方は両端部を有し、第１ヒンジ部及び第２ヒンジ部は共に枢軸から離れていることを特徴とする靴。
【請求項２】
前記第２ヒンジ部は、第１ヒンジ部を支持するための１以上の支持面を備えることを特徴とする請求項１に記載の靴。
【請求項３】
前記第２ヒンジ部は、少なくとも部分的に第１ヒンジ部を囲むことを特徴とする請求項１又は２に記載の靴。
【請求項４】
前記ロック機構は、ヒンジの枢軸から離れて設けられることを特徴とする請求項１に記載の靴。
【請求項５】
前記ロック機構は、靴の後部に設けられていることを特徴とする請求項４に記載の靴。
【請求項６】
前記ロック機構は、少なくとも部分的に踵部に一体化されていることを特徴とする請求項５に記載の靴。
【請求項７】
前記ロック機構は、ロック解除又はロックするための操作機構を備えることを特徴とする請求項１から６のいずれか１項に記載の靴。
【請求項８】
前記ロック機構は、ロック位置で操作機構を付勢する手段を備えることを特徴とする請求項７に記載の靴。
【請求項９】
前記操作機構は、付勢されたスプリングであることを特徴とする請求項８に記載の靴。
【請求項１０】
前記ロック機構は、靴が閉鎖されたとき、自動的にロックするように構成されていることを特徴とする請求項１から９のいずれか１項に記載の靴。
【請求項１１】
前記ロック機構は、第１ヒンジ部に連結される第１接触領域と、操作機構に連結される第２接触領域とを備え、第１及び第２接触領域は、靴を閉鎖するとき、靴が閉鎖されるまで操作機構が一時的にアンロック位置に付勢されるように相互作用することを特徴とする請求項１０に記載の靴。
【請求項１２】
前記第１及び第２接触領域は、ロック機構の第１及び第２フックを備え、前記第１及び第２フックは閉鎖位置の靴を互いに連結してロックすることを特徴とする請求項１１に記載の靴。
【請求項１３】
前記ヒンジは、靴を開放位置に付勢する１以上のトーションスプリングを備えることを特徴とする請求項１に記載の靴。
【請求項１４】
トーションスプリングの１以上の脚部が第１ヒンジ部又は第２ヒンジ部の凹部に組み込まれていることを特徴とする請求項１３に記載の靴。
【請求項１５】
前記請求項１から１４に記載の靴のためのヒンジ。
【発明の詳細な説明】
【技術分野】
【０００１】
本発明は、ソールに設けられる前部及び後部を備え、ソールが、靴を開閉するために前部及び後部に回転可能に連結されるヒンジを一体化された靴に関する。靴は閉鎖位置で靴をロックするロック機構を備えてもよい。また本発明は、ヒンジ付きソールを備えた靴のためのヒンジに関する。
【背景技術】
【０００２】
そのような靴は、後部に対して前部を回転させることにより開閉し、履いたり、脱いだりしやすくなる。いずれにせよ、これはメリットがあり、特に、人が靴を履いたり脱いだりする際に経験するどのような困難性にとってもメリットがある。
【０００３】
ヨーロッパ特許第２１７３２０８号公報はそのような靴を開示する。ロック機構はヒンジ軸に一体化されている。この靴の欠点は、ロック機構がそこに作用させる力の割に比較的小さく、やがてかなり摩耗し、その結果損傷に至ることである。しかしながら、快適さという理由のため、ロック機構の公差は小さくあるべきであり、このためロック機構の信頼性に乏しく、スムーズなロックが制限される。また、その靴の使用ではヒンジが現れるのは明らかであり、不快な思いをすることになる。
【０００４】
ドイツ特許第１０２０２０８号公報にもそのような靴が開示されている。ロック機構は、靴前方部のキャビティ内のスプリングによって付勢された靴後方部のスライダからなる。ヒンジは、２つの小さなピンからなるが、それらは共にそこに作用する全ての力を吸収するのには十分でない。この結果、ピンは、変形には脆弱である。また、スライダは、靴に作用した力の一部を吸収し、その結果、スライダ及びキャビティが変形する。そのような変形により、適切な係脱が妨げられる。またこのとき、スライダとキャビティの間の摩耗とより大きな公差とがもたらされ、快適性の点で受け入れ難い。靴の後部に於けるスライダのための案内通路の存在により硬さの少ないソールとなる。また、靴は、開放位置で安定せず、重力に従って単に地面に位置したり、それ自身、閉鎖及びロック位置に曲がったりする。また、この靴のユーザにはヒンジの存在がはっきりと分かり、不愉快なものとして認識される。
【先行技術文献】
【特許文献】
【０００５】
【特許文献１】ヨーロッパ特許第２１７３２０８号公報
【特許文献２】ドイツ特許第１０２０２０８号公報
【発明の概要】
【発明が解決しようとする課題】
【０００６】
本発明は、前述の従来技術の１以上の問題点を解決することを意図しており、特に、本発明の目的は、靴に強固で、耐久性がある、ヒンジ結合されたソールを提供することであり、機能させたり履いたりするのに快適なものとして認識されることである。
【課題を解決するための手段】
【０００７】
本発明の第１の態様では、ヒンジは、枢軸に連結された第１ヒンジ部と第２ヒンジ部とを備え、少なくとも第１ヒンジ部と第２ヒンジ部の一方は、反対側に位置する先端を有し、両先端は枢軸から離れている。第１ヒンジ部が枢軸の第１の側から離れた反対側の端部へと延びているので、ユーザがヒンジを認識しやすく、付加的な快適さがもたらされる。また、靴を履く時、延びた第１部でユーザの足によって発生する力は、ヒンジの枢軸から離れた作用点を有する。その結果、てこの原理により、より少ない力が必要とされるだけであり、より一層履くのが楽になる。
【０００８】
本発明の他の態様では、第２ヒンジ部には第１ヒンジ部を支持するための１以上の支持面が設けられている。このように、靴の閉鎖位置では、第１及び第２ヒンジ部は、ソールための硬質な基部を提供し、さらに快適さを向上させる。またそのような支持面は、歩行中に第１及び第２ヒンジ部間に作用する主要な力を吸収する。そのため、枢軸、特にロック機構にも、より少ない負荷が経験される。これら支持面のため、要求される製造公差はそれほど厳しくはない。したがって、靴はより設計及び製造しやすい。
【０００９】
また本発明他の実施形態では、第２ヒンジ部は、少なくとも部分的に第１ヒンジ部を囲んでいる。そして、第１ヒンジ部の延設部は、閉鎖位置で第２ヒンジ部に固定される。これにより、履き心地がよくなる。また第１ヒンジ部の周囲の主要部の回りに第２ヒンジ部の支持面を有することができ、その結果、第１ヒンジ部は適切に支持される。
【００１０】
本発明に係るロック機構は、ヒンジの枢軸から離れて配置してもよい。この枢軸の距離と、その結果としてのてこの力により、ロック機構がヒンジに作用させなければならない反力が、ヒンジを開放するような力の反動でより一層小さくなる。この結果、ヒンジにはより少ない負荷が作用し、損傷しにくくなり、耐久性が向上する。そのような枢軸から離れた、本発明の他の態様に係るロック機構は、靴の後部、特に靴の踵の位置に配置されていてもよい。靴の後部のソールは、大抵の場合、靴の他の部分よりも硬く、ロック機構により広い取り付けスペースを提供する。これにより、特に踵にとって本発明に係るロック機構は、少なくとも部分的に、踵に一体化されてもよい。
【００１１】
本発明に係るロック機構は、ロック機構に係脱するための操作機構を備えてもよい。靴の利用者はこの操作機構によってロック機構を操作してもよい。安全の観点から、本発明は、ロック位置で、操作機構に力を付与する手段を備えたロック機構を提供する。このように、ロック機構はロック位置に維持されるか、あるいは、その位置に付勢される。ユーザは、ロック機構をアンロックするために操作機構を操作するだけでよい。本発明に係る操作機構はスプリング付勢されてもよい。
【００１２】
快適性の観点から、本発明に係る靴は、閉鎖されるとき、自動ロックするように設計されたロック機構を備えてもよい。本発明の他の態様では、ロック機構は、第１ヒンジ部に連結された第１接触領域と、操作機構に連結された第２接触領域とを備えてもよく、第１及び第２接触領域は、靴が閉鎖されるまで、操作機構がアンロック位置に付勢されるように靴を閉鎖するときに相互作用する。第１及び第２接触領域は、ロック機構の第１及び第２フックにそれぞれ設けられており、第１及び第２フックは閉鎖位置の靴に相互に連結されてロックされる。
【００１３】
本発明に係る靴のヒンジは、靴を開放位置へと付勢する１以上のトーションスプリングを備えてもよい。これにより、靴は、アンロックした後、自動的に開放するので、使いやすくなる。トーションスプリングの脚部は第１ヒンジ部又は第２ヒンジ部の凹部に組み込んでもよい。これにより、両ヒンジ部にばね力を適切に伝達することが保証され、トーションスプリングの脚部がソールを介して感じられることが阻止される。
【図面の簡単な説明】
【００１４】
【図１】本発明に係る靴の開放位置を示す。
【図２】本発明に係る靴の閉鎖位置を示す。
【図３】本発明に係る靴のヒンジの閉鎖位置を示す。
【図４】図３のヒンジの開放位置を示す。
【図５】図３のヒンジの閉鎖位置を示す。
【図６】図３のヒンジにトーションスプリングを設けた状態を示す。
【図７】本発明に係る自動ロック機構を備えたヒンジのロック位置での断面図である。
【図８】図７のヒンジのアンロック位置での断面図である。
【図９】図７及び図８のヒンジのアンロック位置からロック位置へと移動する際の中間位置での断面図である。
【図１０】他のロック機構を備えたヒンジを示す図である。
【図１１】閉鎖タイプのロック機構を示す図である。
【図１２】傾斜した閉鎖部を備えたロック機構を示す図である。
【図１３】ラックギアを備えたロック機構を示す図である。
【図１４】横向きに傾斜した閉鎖部を備えたロック機構を示す図である。
【発明を実施するための形態】
【００１５】
図１において、本発明に係る靴１は、開放された靴に足２を挿入した状態の、（例えば、４０度の最大開放角度の）開放位置を示す。靴は、前部３と後部４を備え、ソール５が設けられている。前部３は、補強手段９に連結される上部６からなる。後部４は、補強手段１０に連結される上部７からなる。ヒンジ８は、ソール５に一体化されている。ヒンジ８は、第１ヒンジ部８ａ、第２ヒンジ部８ｂ及び枢軸８ｃからなる。靴の後部４は、図２に示すように、靴１が閉鎖され、縁部１１及び１２が互いにもたれ合うように、靴の前部３に向かって枢軸８ｃを中心として回動する。靴１は閉鎖位置でロックされる。
【００１６】
図３に示すヒンジ８は、第１ヒンジ部８ａと第２ヒンジ部８ｂを備え、第１及び第２ヒンジ部８ａ及び８ｂは枢軸８ｃに連結され、ここに示す実施形態では、ヒンジ８の第１ヒンジ部８ａは枢軸８ｃから離れた反対側に先端部を有する。ヒンジ８は、図３では閉鎖位置で示され、図４では開放位置で示されている。この特徴のため、ヒンジ部８ａは枢軸８ｃを超えて第２ヒンジ部８ｂの領域内へと延びる延設部１６を有する。ヒンジ部８ａの延設部１６により、ヒンジ８、特に枢軸８ｃをユーザが知覚することは少ない。第１ヒンジ部８ａの延設部１６で発生する力は、ヒンジ８の枢軸８ｃから離れた作用点を有する。てこの作用により、より少ない閉鎖力でよく、その結果ステップインがより簡単になる。
【００１７】
第１ヒンジ部８ａの延設部１６は、底面に複数の表面１３ａ及び１４ａを提供する階段状のプロファイルを有する。また同様なヒンジ８が断面図で図５に示されている。また第２ヒンジ部８ｂは、複数の支持面１３ｂ及び１４ｂを備えた階段状のプロファイルを備える。第１ヒンジ部８ａの表面１３ａ及び１４ａは、ヒンジ８の閉鎖位置で、第２ヒンジ部８ｂの対応する支持面１３ｂ及び１４ｂに当接する。本実施形態の第１及び第２ヒンジ部８ａ及び８ｂは、ソールのための硬質な底面を提供し、さらに快適性を高める。また支持面１３ｂ及び１４ｂは、歩行中、第１及び第２ヒンジ部８ａ及び８ｂの間に作用する力の殆どを吸収する。したがって、後述するように、枢軸８ｃ、特にロック機構が受ける負荷はより少なくなる。これら支持面１３ａ、１３ｂ及び１４ａ、１４ｂによれば、要求される製造公差はあまり厳しくない。したがって、靴はより設計及び製造しやすい。
【００１８】
図３から図５に示すように、第２ヒンジ部８ｂは第１ヒンジ部８ａの延設部１６を囲む。ヒンジ８の第１ヒンジ部８ａの延設部１６は、靴１の閉鎖位置では、ヒンジ８の第２ヒンジ部８ｂに組み込まれている。これにより、履き心地が良くなる。またヒンジ８の第１ヒンジ部８ａは、延設部１６の周囲に沿って適切に支持されている。
【００１９】
図３のヒンジ８は、図６では枢軸８ｃの回りにトーションスプリング１７を備える。トーションスプリング１７の脚部１８及び１９はヒンジ８の第１ヒンジ部８ａ及び第２ヒンジ部８ｂの凹部２０及び２１にそれぞれ組み込まれている。十分に大きな力を得るために枢軸８ｃの回りに複数のトーションスプリング１７を設けてもよい。トーションスプリング１７がヒンジ８を付勢し、靴１は開放位置となる。これにより、靴はアンロック後、自動的に開放するので、使い易くなる。トーションスプリング１７の脚部１８及び１９が凹部２０及び２１にそれぞれ組み込まれているので、両ヒンジのばね力が適切に伝達されることが保証され、ソールを介してスプリングの脚部を感じることもない。
【００２０】
図７のヒンジ８は、第１ヒンジ部８ａからなり、第２ヒンジ部８ｂの枢軸８ｃ側で、第１ヒンジ部８ａの延設部１６と共に、枢軸８ｃの一端側から他端側に延びている。枢軸８ｃの周囲にはトーションスプリング１７が配置され、その脚部１９の一方も示されている。トーションスプリング１７は、靴を脱いだり履いたりするのを楽にするために、ヒンジ８を開放位置に付勢する。ユーザの足が靴に挿入されて下方側に第１ヒンジ部８ａの延設部１６が押されると、靴を閉鎖するためにトーションスプリング１７の力に対して十分な反力を付与する。靴を閉鎖位置に維持するためにロック機構２２が設けられている。このロック機構２２はヒンジ８の枢軸８ｃから離れて設けられている。このヒンジ８の枢軸８ｃからの距離と、その結果としてのてこの作用とにより、ロック機構がヒンジを開放しようとするその力の反動でヒンジに作用するべき反力がより小さくなる。したがって、ヒンジ８は、より損傷しにくく、より耐久性が向上する。
【００２１】
ロック機構２２は、靴の踵の位置に後部を備える。靴の後部に於けるソールは、大抵の場合、ソールの他の部分よりも厚く、その結果、ロック機構のためのより広い取付スペースが提供される。
【００２２】
ロック機構２２は、ロック解除又はロックするための操作機構２３を備える。操作機構２３は、ユーザによって操作できるように靴から後方に延びている。操作機構２３は靴の踵にスライド可能に配置されており、そこにピン２４によって固定されている。ピン２４は操作機構２３の底面で溝内に延びている。操作機構２３にはフック２５が設けられている。フック２５は、ロック位置でフック２６に係合し、フック２６は第１ヒンジ部８ａの延設部１６に設けられている。操作機構２３はスプリング２７によって付勢されている。スプリング２７は操作機構をロック位置に付勢し、フック２５及び２６は連結される。これは安全な構造である。ロック機構２２は履いて歩行する際、閉鎖位置に維持される。ユーザが操作機構２３を押圧操作したときにのみ、フック２５及び２６が解放され、ユーザが足の加圧を軽減すれば、トーションスプリング１９は靴を開放位置に押圧する。しかしながら、操作機構２３は手でソフトタッチ操作するために構成されており、他の足で押圧することによって簡単に操作されるようにも構成されている。後者の場合、ユーザは屈曲させる必要すらない。これは、どんなユーザにも快適で、ハンディのある、あるいは、一時的に移動を制限されていると思われるユーザにとってより快適である。
【００２３】
逆に、ユーザが靴を履くとき、第１及び第２ヒンジ部８ａ及び８ｂは、トーションスプリング１７の力に抗して閉鎖位置に押圧される。図９に示すように、ロック機構２２は自動的に閉鎖される。フック２５及び２６は共に接触領域２８及び２９をそれぞれ備える。靴を閉鎖すると、接触領域２８及び２９は、靴が閉鎖されるまで、操作機構２３が一時的にアンロック位置に付勢されるように相互に作用する。閉鎖位置では、スプリング２７は操作機構２３を閉鎖位置に付勢する。
【００２４】
ロック機構２２を改良してさらに強くするために、複数の相互作用するフック２５、２６を備えてもよい。また複数のフックの採用により、さらに適切な閉鎖が得られ、遊びや摩耗が抑制される。
【００２５】
ヒンジのロック機構は異なる実施形態であってもよく、それは特定の靴に要求されるものに変更してもよい。例えば、図１０では、単一のピン３０が第２ヒンジ部８ａに設けられている。また靴の閉鎖位置では、ピンは、第１ヒンジ部８ａの穴又はスリーブに到達し、両ヒンジ部を相互に連結する。
【００２６】
図１１では、ピン３２はスリーブ３３の対応プロファイルに合致するプロファイルを有する。スプリング４０の加圧に抗して靴を閉鎖し、ピン３２を押圧するとき、両プロファイルは一列に並ぶ。閉鎖後、ピン３２は解放され、開始位置に復帰する。そして、ピン３２とスリーブ３３の両プロファイルはもはや一列には並ばず、ヒンジは、ピン３２が再び押圧されるまで閉鎖位置に維持される。
【００２７】
図１２のロック機構は傾斜した閉鎖部３４からなり、枢軸４２を中心として傾斜している。閉鎖部３４は、押圧されるまで第１ヒンジ部８ａに係合するフック４１と共にロック位置に位置するようにスプリングで付勢される。しかしながら、図１４では、同様にスライド方向に傾斜した閉鎖部３８が設けられている。垂直方向の枢軸３９がトーションスプリングによって再び付勢され、傾斜した閉鎖部３８のフック４２が第１ヒンジ部８ａのスライド方向の穴４３に到達する。
【００２８】
図１３では、滑らかな操作感覚のラックギア４４が設けられている。ラックギア４４はギア３６に噛合するピン３５からなる。ピン３７はピン３５を押圧したり引っ張ったりすることにより、第１ヒンジ部８ａの穴４５内に押し込んだり、穴４５から引き出したりすることができる。
【００２９】
当業者にとって、前記実施形態は、本発明に係る靴が組み込まれた多くの可能性のある変形例の幾つかのみを示すものであることは明らかである。したがって、ここに提案された実施形態は、本発明の範囲を制限することなく、添付された特許請求の範囲を明らかにするものとして理解されるべきである。保護の範囲内で、多数の変形例を考えることができ、例えば、ヒンジ又はその部品はヒンジのある領域を強化又は硬化するためのリブを備えた実施形態を含めてもよい。このように、ヒンジは全体重量が小さく、十分な強さと硬さとなるように構成されている。他の変形例は、ロック機構をロック又はロック解除するための操作機構の位置であってもよい。しかしながら、この操作機構の位置は靴の後方に制限されるものではなく、靴の側方又は中間側、あるいは、靴の上方側でさえ設けることができる。
【符号の説明】
【００３０】
１…靴
２…足
３…前部
４…後部
５…ソール
６、７…上部
８…ヒンジ
８ａ…第１ヒンジ部
８ｂ…第２ヒンジ部
８ｃ…枢軸
１１、１２…縁部
１３ａ、１３ｂ、１４ａ、１４ｂ…支持面
１６…延設部
１７…トーションスプリング
１８、１９…脚部
２２…ロック機構
２３…操作機構
２４…ピン
２５、２６…フック
２７…スプリング
２８、２９…接触領域
３２…ピン
３３…スリーブ
３４…閉鎖部
３５…ピン
３６…ギア
３７…ピン
３８…閉鎖部
３９…枢軸
４１…フック
４２…枢軸
４３…穴
４４…ラックギア
４５…穴
【図１】
2015514540.tif 000003
【図２】
2015514540.tif 000004
【図３】
2015514540.tif 000005
【図４】
2015514540.tif 000006
【図５】
2015514540.tif 000007
【図６】
2015514540.tif 000008
【図７】
2015514540.tif 000009
【図８】
2015514540.tif 000010
【図９】
2015514540.tif 000011
【図１０】
2015514540.tif 000012
【図１１】
2015514540.tif 000013
【図１２】
2015514540.tif 000014
【図１３】
2015514540.tif 000015
【図１４】
2015514540.tif 000016
【国際調査報告】
2015514540.tif 000017
2015514540.tif 000018